(57)【要約】  動的な対発射体ビークルは本体と、本体から放射状に延在する拡張可能なアームとを含んでいる。アームは形状記憶発泡体のような発泡体材料を含んでいる。発泡体材料はそれを膨張するように加熱されることができる。発泡体アームは加熱されている間は機械的に抑制されることができる。機械的な抑制装置は加熱により除去されることができ、例えば可溶リンクまたは形状記憶固体材料を含む。発泡体材料のアームは高強度の粒子のような固体材料粒子の形状または発泡体材料の支持体または抑制装置の形態の固体材料を含むことができる。発泡体アームの拡張は発射体に衝突するビークルの有効面積を増加させる。本体および／または１以上のアームの発射体における衝突は発射体を破壊し、方向を転換させまたは動作不能にするのに十分であることができる。【選択図】図４
2012511682.tif 000002
【特許請求の範囲】
【請求項１】
本体と、
前記本体から外方に放射状に拡張可能な発泡体アームとを具備している動的な迎撃ビークル。
【請求項２】
前記発泡体アームは形状記憶発泡体を含んでいる請求項１記載の迎撃ビークル。
【請求項３】
さらに、前記発泡体アームの拡張前に前記発泡体アームを加熱するために前記発泡体アームに結合されて動作する電力源を具備している請求項２記載の迎撃ビークル。
【請求項４】
前記加熱期間中に、前記発泡体アームを引込み形態に機械的に抑制するための機械的抑制装置を具備している請求項３記載の迎撃ビークル。
【請求項５】
前記機械的抑制装置は、前記発泡体が加熱されている間に前記発泡体の動きを抑制する固体材料素子を前記発泡体アーム中に含んでいる請求項４記載の迎撃ビークル。
【請求項６】
前記固体材料は、前記発泡体アームの拡張を可能にするために、加熱時に形状を変化する形状記憶合金材料を含んでいる請求項５記載の迎撃ビークル。
【請求項７】
前記固体材料素子は、前記発泡体アームの拡張を可能にするために少なくとも加熱時に軟化する可溶リンクをそれぞれ含んでいる請求項５記載の迎撃ビークル。
【請求項８】
前記機械的抑制装置は、加熱期間中に圧縮された構造に前記アームを維持するスプリングを前記各アームの発泡体材料中に含んでいる請求項４または５記載の迎撃ビークル。
【請求項９】
前記スプリングの少なくとも一部は形状記憶合金の固体材料から作られている請求項８記載の迎撃ビークル。
【請求項１０】
前記機械的抑制装置は、前記機械的抑制装置を加熱するために電力を与えることにより選択的に付勢される請求項４乃至９のいずれか１項記載の迎撃ビークル。
【請求項１１】
前記機械的抑制装置は、前記アームを解放するために電気的に付勢される解放機構を含んでいる請求項４乃至１０のいずれか１項記載の迎撃ビークル。
【請求項１２】
前記発泡体アームは、前記アームにより迎撃される発射体に衝撃を与える付加的なモーメンタムを与えるために埋設された固体材料のピースを有している請求項１乃至１１のいずれか１項記載の迎撃ビークル。
【請求項１３】
前記固体材料のピースは金属のピースである請求項１２記載の迎撃ビークル。
【請求項１４】
前記固体材料のピースは２乃至１０ｍｍの直径を有する実質的に球形のピースである請求項１２または１３記載の迎撃ビークル。
【請求項１５】
前記固体材料のピースは少なくとも鋼鉄と同じ密度を有している請求項１２乃至１４のいずれか１項記載の迎撃ビークル。
【請求項１６】
前記アームの発泡体材料は、前記アームが引込まれた形態から拡張形態へ変化するときに長さにおいて拡張する請求項１乃至１５のいずれか１項記載の迎撃ビークル。
【請求項１７】
前記発泡体材料は、前記アームが引込まれた形態から拡張形態へ変化するときに少なくとも３００％長さが拡張する請求項１６記載の迎撃ビークル。
【請求項１８】
動的な対発射体迎撃ビークルを発射体の方向に誘導し、
前記誘導後、前記ビークルの発泡体アームを前記ビークルの本体から外方に放射状に展開し、
前記展開後、少なくとも１つの本体又は１以上の前記発泡体アームによって前記発射体に衝突させるステップを含んでいる発射体の迎撃方法。
【請求項１９】
前記誘導は少なくとも１６，０００ｋｍ／時（時速１０，０００マイル）の速度で迎撃ビークルを誘導することを含んでいる請求項１８記載の方法。
【請求項２０】
前記アームは前記アームの発泡体材料中に埋設されている固体材料のピースを有する請求項１８または１９記載の方法。
【発明の詳細な説明】
【技術分野】
【０００１】
本発明は動的な対発射体迎撃ビークルの分野である。
【背景技術】
【０００２】
迎撃機は宇宙ベースまたは宇宙突入発射体、例えば大陸間弾道ミサイルのような弾道発射体を迎撃及び動作不能にし或いは破壊することが提案されている。このような発射体は非常に高速度で移動し、短い移動時間を有し、それらの迎撃を難しい問題にし、さらに改良の余地がある。
【発明の概要】
【０００３】
本発明の１特徴によれば、動的な対発射体迎撃ビークル（弾頭破壊飛行体）はビークルの本体から拡張された発泡体アームを含み、それによって迎撃される発射体と衝突する有効面積を増加する。
【０００４】
本発明の別の特徴によれば、動的な対発射体迎撃ビークルは形状記憶発泡体を含む拡張可能なアームを含んでいる。
【０００５】
本発明のさらに別の特徴によれば、動的な対発射体迎撃ビークルはビークルの本体から拡張するように加熱される発泡体アームを含んでいる。
【０００６】
本発明のさらに別の特徴によれば、ビークルは本体とその本体から拡張可能なアームを含んでいる。機械的な抑制装置はアームが拡張されるまでアームを位置に保持する。
【０００７】
本発明のさらに別の特徴によれば、発射体を迎撃する方法は迎撃ビークルの本体から放射状に拡張するように発泡体アームを加熱することを含んでいる。機械的な抑制装置は発泡体アームが加熱されている間に発泡体アームを引込み状態に保持するために使用されることができる。加熱は電気的加熱でもよい。電気的加熱は機械的抑制装置を解放するために使用されることもできる。例えば機械的抑制装置は可溶リンクを含むことができる。
【０００８】
本発明の別の特徴によれば、動的な迎撃ビークルは本体と、その本体から外方向に放射的に拡張可能な発泡体アームを含んでいる。
【０００９】
本発明のさらに別の特徴によれば、発射体を迎撃する方法は、動的な対発射体迎撃ビークルを発射体の方向に誘導し、誘導後、ビークルの発泡体アームをビークルの本体から外方向に放射状に展開し、展開後、少なくとも１つの本体又は１以上の発泡体アームを発射体に衝突させるステップを含んでいる。
【００１０】
前述した及び関連する目標を実現するために、本発明は以下十分に説明され特に請求項で指摘されている特徴を含んでいる。以下の説明及び添付図面は本発明のある詳細な例示的な実施形態で説明される。これらの実施形態は本発明の原理が使用されることができる種々の方法のうちの幾つかを示している。本発明のその他の目的、利点、優れた特徴は図面を伴って考慮するとき本発明の以下の詳細な説明から明白になるであろう。
【図面の簡単な説明】
【００１１】
【図１】発射体を迎撃するため本発明の１実施形態による迎撃ビークルの使用を示す概略図である。
【図２】引込み構造のアームを有する図１の迎撃ビークルの斜位図である。
【図３】図２の引込み構造における図１の迎撃ビークルの前端図である。
【図４】拡張または展開構造におけるアームを有する図１の迎撃ビークルの斜位図である。
【図５】図４の拡張または展開構造における図１の迎撃ビークルの前面図である。
【図６】図１の迎撃ビークルのアームの展開方法におけるステップを示した高レベルのフローチャートである。
【図７】図１の迎撃ビークルの幾つかのシステムの概略図である。
【図８】アームの発泡体材料に埋設されている固体材料のピースを示している図１の迎撃ビークルのアームの１つの断面図である。
【図９】図１の迎撃ビークルの一部として使用可能な第１の実施形態の機械的抑制装置を示している斜位図である。
【図１０】図９の機械的抑制装置の解放を示している斜位図である。
【図１１】図１の迎撃ビークルの一部として使用可能な第２の実施形態の機械的抑制装置を示している斜位図である。
【図１２】図１１の機械的抑制装置の解放を示している斜位図である。
【図１３】図１の迎撃ビークルの一部として使用可能な第３の実施形態の機械的抑制装置を示している斜位図である。
【図１４】図１３の機械的抑制装置の解放を示している斜位図である。
【図１５】図１の迎撃ビークルの一部として使用可能な第１の実施形態の機械的抑制装置を示している斜位図である。
【図１６】図１４の機械的抑制装置の解放を示している斜位図である。
【発明を実施するための形態】
【００１２】
添付図面は、実寸大ではない。
【００１３】
動的な対発射体ビークルは、本体と、本体から放射状に拡張可能なアームとを含んでいる。アームは形状記憶発泡体のような発泡体材料を含んでいる。発泡体材料は梱包された形状からそのもとの又は展開された形状に戻るようにそれを膨張又は展開するように加熱されることができる。発泡体アームは加熱されている間は機械的に抑制されることができる。電気的に付勢された機構はアームが膨張することを可能にするために機械的抑制装置を除去するために使用されることができる。機械的な抑制装置は加熱により除去されることができ、例えば可溶リンクまたは形状記憶材料を含む。発泡体材料のアームは高強度の粒子のような固体材料粒子の形状または発泡体材料の支持体または抑制装置の形態の固体材料を含むことができる。発泡体アームの拡張は発射体に衝突するビークルの有効面積を増加する。本体および／または１以上のアームからの発射体における衝突は発射体を破壊、転換またはそうでなければ動作不能にするのに十分であることができる。
【００１４】
最初に図１を参照すると、動的な対発射体迎撃ビークル10は発射体12を迎撃及び動作不能にするために使用される。発射体12は弾道軌道を大きい速度で、毎時数千キロメートル程度で飛行できる。ビークル10は発射体12の方向に誘導される。ビークル10は宇宙プラットホーム体又は地上プラットホームから発射されることができ、さらに少なくとも１６，０００乃至４８，０００ｋｍ／時間（時速１０，０００乃至３０，０００マイル）の速度のような時速数千キロメートル程度の大きい速度で移動することもできる。
【００１５】
さらに、図２乃至５を参照すると、ビークル10は飛行中にビークル10の中心本体22から放射状に拡張するアーム20を再構成できる。図２と３は引込み位置または構造におけるアーム20を有するビークル10を示しており、図３と４は拡張または展開された構造におけるアーム20を有するビークル10を示している。アーム20はビークル10の中心本体22上の縦方向の位置を中心に軸対称に位置されることができる。アーム20は構造において全て実質的に同一である。アーム20はビークル10の発射32後であるがビークル10と発射体12との衝突34前にビークル10の飛行中に点30で拡張されることができる。アーム20の拡張はビークル10が発射体12に衝突できる実効面積を増加することによってビークル10と発射体12との衝突の確率を増加する。
【００１６】
以下さらに詳細に説明するように、アーム20は本体22からアーム20を拡張するために形状変化のための力を与えるように加熱される形状メモリ発泡体のような発泡体材料26を含むことができる。加熱は発泡体材料26の電気的加熱により行われることができる。アーム20は全てのアーム20が同時に展開するように加熱期間中に機械的に抑制されることができる。機械的抑制装置は発泡体材料内に固体材料の抑制装置および／または電気的加熱および／または可溶リンクの切断による等の電気スイッチにより解放する機構を含むことができる。
【００１７】
アーム20は形状記憶ポリマー発泡体剤のような発泡体材料26から作られることができる。アーム20は１以上のアーム20が発射体12に衝突するときより大きな運動エネルギを与えるために、高密度の金属又は合金のような固体材料のピースをその中に有することができる。
【００１８】
アーム20は約１０ｃｍ程度の直径を有し、数メートル程度のそれらの拡張された構造において長さを有することができる。アーム20はそれらの形状を歪ませる重力効果または風の抵抗がないために宇宙ビークル上に含まれるとき付加的な構造的支持体を必要としないことが認識されよう。
【００１９】
以下の説明では、第１にアーム20を展開するための展開プロセスのステップについての総括が与えられる。その後、アーム20の展開および構造に使用されるビークル10の部品の概説として概略ブロック図が与えられる。最後に、幾つかの実施形態がアーム20の構造およびアーム20の展開及び構造に使用される部品について説明されている。説明した特別な実施形態はアーム20の広範囲の種々の可能な構造および、アーム20の展開に使用される構造の１例であることが認識されよう。種々の実施形態をある注目すべき詳細に関してのみ以下説明し、種々の実施形態からの詳細は適切な場合、本発明の他の実施形態と組み合わされることができることを認識すべきである。
【００２０】
図６はアーム20を展開するための方法50の幾つかのステップを示している。ステップ52で、アーム20の発泡体材料26が加熱される。前述したように、発泡体材料26は形状記憶発泡体材料であることができる。形状記憶材料は転移温度を超えて加熱されるとき、以前の形態に戻る特性を有する。形状記憶が戻る形態は、材料をさらに高い温度まで加熱し、その後、所望の形状の状態でありながら材料を冷却することにより設定されることができる。形状記憶発泡体は長期の保管後でさえも所望の形状に戻ることができる所望の特徴を有する。このようなポリマー発泡体は圧縮される形状に永久的に適合するわけではない。形状記憶ポリマー発泡体はそれ故、図４と５に示されている拡張されたアーム20を発生するように拡張する能力を失わずに長期間保存されることができる。
【００２１】
加熱は発泡体材料26の電気的加熱であってもよい。電流は発泡体材料自体を通るかまたは導電性の抵抗ヒーター、またはワイヤのような発泡体材料26内に位置される他の素子を通ることができる。形状記憶発泡体材料の加熱により材料は「記憶された」形状方向に動くような力を発生させる。これはアーム20の寸法の少なくとも３００％の増加、例えばアーム20を４倍以上長くすることを含むことができる（少なくとも３００％の歪）。形状記憶発泡体ではない発泡体の加熱は発泡体を軟化することができ、それを膨張しやすくする。
【００２２】
形状記憶ポリマー発泡体はそれが加熱プロセス期間中に抑制されないならば、加熱期間中に膨張することが認識されよう。形状記憶ポリマー発泡体はアーム20が早期に展開されることを防止するために加熱期間中に抑制されることが望ましい。加熱中の早期の展開は異なる速度で異なるアーム20を展開する可能性を有する。このような非対称の展開は、ビークル10の質量中心の位置の変化のために、ビークル10に対して望ましくない針路変化を起こす。それ故ステップ56で、アーム20の拡張に向けて発泡体材料26を加熱した後、発泡体材料56における機械的抑制装置が解放される。このことによりアーム20はステップ58で拡張でき、ビークル10をアームが展開された状態、すなわち図４及び５で示されている拡張された構造にする。機械的抑制システムは広範囲の種々の形態の任意のものを有してもよく、そのうちの幾つかを以下説明する。
【００２３】
機械的抑制装置の解放は電気的に付勢された又は電気光学的に付勢される解放機構であることができる（共にここでは電気的に付勢される解放機構又は単に解放機構と呼んでいる）。１例として、電気的に付勢される解放機構は機械的抑制装置を解放するためにリンクを切断するように可溶リンクを電気的に加熱することを含むことができる。電気的に付勢される解放機構は電気的加熱時に先の形状に戻る形状記憶合金のような形状記憶固体材料の使用を含むことができる。このような形状記憶材料素子は発泡体材料26に埋設されることができ、発泡体材料を加熱するための加熱素子としての役目を行うことができる。１実施形態では、形状記憶材料の固体素子は発泡体材料を加熱するための熱を与えるため比較的小さい電流を受け、その後、転移温度を超える形状記憶合金の固体材料の加熱を起こすための電流の急激な増加または急上昇を受け、それによって以前の（記憶）形状へ戻す力を発生する。他の可能な電気的に付勢される解放機構は、機械的抑制装置のある部分を切断するため、加圧されたガスにより駆動され電気的に付勢されるカッターと、爆発ボルトを含んでいる。
【００２４】
図７はビークル10の概略図を示しており、アーム20の展開に関するビークル10の部品を概略図の形態で示している。アーム20の発泡体材料26はアーム20の発泡体材料26（図４）を加熱するための加熱素子70と、加熱期間中に発泡体材料26をその位置に保持するための機械的抑制システム74に動作的に結合される。図面では別々に示されているが、加熱素子70および／または抑制システム74は例えば発泡体材料26に埋設される等、アーム20の一部であることができる。加熱素子70は発泡体材料26を電気的に加熱するための電力を与えるため電池のような電力源78に結合される。既に説明したように、加熱素子70は発泡体材料26に位置されるか埋設されることができる。代わりに又はさらに、加熱素子70および抑制システム74は例えば加熱素子としておよび発泡体材料26の早期の拡張を防止する抑制装置としての両者の役目を行うための、発泡体材料26に埋設されている同じ素子であってもよい。
【００２５】
解放機構80は、加熱の完了後、またはアーム20の拡張が望まれる別の時に機械的抑制装置74を解放するために機械的抑制システム74に結合される。解放機構80はその動作のため電源78に結合されている電気的に付勢される解放機構であってもよい。その代わりに、解放機構80は別の電源を有することができる。解放機構は可溶リンクのような機械的抑制装置74の一部であることができる。機械的抑制装置74の解放は発泡体材料26が転移温度を超えて加熱されている記憶形状ポリマー発泡体からの力のようなその固有の力下で拡張されることができる。解放は、発泡体アーム内又はそれに結合されている素子にアーム20を拡張するための力を与えさせることもできる。
【００２６】
図８は発泡体材料26内に分散されている固体材料ピース100を有するアーム20の１つを示している。固体ピース100はアーム20の１以上が発射体12に衝突するとき発射体12（図１）の方向を変え又は破壊するための慣性を与えるために使用される。ピース100は発泡体材料26内で実質的に均一に分散されることができ、および／または発泡体材料26内でランダムに分散されることができる。ピース、部材又はチャンク100は球形であることができ、例えば２乃至１０ｍｍの範囲の直径、または直径約１ｃｍより狭めた任意の種々のサイズを有することができる。固体材料ピース100は炭化タングステン、タングステン、劣化ウラン、ステンレス鋼、または他のタイプの鋼鉄或いは銅の１以上を含めた任意の種々の高密度材料で作られてもよい。固体材料ピース又はチャンク100が小さくても、これらはアーム20が衝突する発射体12の方向の転換、破壊又はそうでなければそれに悪影響を与えるため非常に高速度（例えば前述した１６，０００ｋｍ／時を超える速度）で移動するときに十分な慣性を有することができる。
【００２７】
図９および１０は図９に示されているように、アーム20の発泡体材料26を抑制する機械的抑制装置であるストラップ110の１タイプを示している。ストラップ110は適切な金属から作られることができ、電気加熱により切断されることができる可溶リンク112を含むことができる。可溶リンク112は比較的低い溶解点または軟化温度を有する金属、例えば鉛またははんだに関連される合金から作られることができる。電気エネルギの急上昇は可溶リンクの材料を加熱するために可溶リンク112を通して電流を流すために供給されることができる。図１０に示されているように、これはストラップ110を可溶リンク112の位置で破断させ、アーム20の発泡体材料26を解放して膨張させる。
【００２８】
ストラップ110は形状記憶発泡体材料が小さい力しか発生できないがアーム26を拡張するには十分な力であるので、加熱期間中に発泡体材料26を含むために大きな力をもつ必要はないことが認識されよう。圧力駆動カッターのような切断機構のように他の機構がストラップを切断し解放するために使用されることができることも認識されよう。ストラップ110を通過される電流が可溶リンク112を軟化または溶解する熱を生じない限り、発泡体材料26を依然として抑制しながらストラップ110が発泡体材料26を加熱するためのヒーターとして作用することを可能にすることもさらに認識されよう。
【００２９】
図１１と１２は、別のタイプの機械的抑制装置であるアーム20の発泡体材料26中に埋設された形状記憶合金固体部材又は素子120を示している。示されている実施形態では、形状記憶合金構造体又は素子120は図１１に示されているように発泡体材料を抑制しながら、コイル状にされている。しかしながら、形状記憶合金部材は発泡体材料の膨張を抑制するための任意の広範囲の種々の形状及び構造を有することができることが認識されよう。
【００３０】
形状記憶合金部材120は発泡体材料が抑制されながら発泡体材料26を加熱するためのヒーターとして使用されることができる。周囲の発泡体材料26を加熱するには十分であるが部材120の形状記憶特性を誘発する程の大きさではない比較的低い電流が形状記憶合金部材120を通過されることができる。この加熱は部材120の形状記憶特性を誘発するのに十分であり、図１２に示されているように、部材120をアーム20の拡張と一貫した先の形状に戻らせる。発泡体材料26と部材120の特徴は、発泡体材料26の形状記憶特性が部材120の形状記憶特性よりも低い温度で誘発されることであることが認識されよう。
【００３１】
図１３と１４はアーム20の発泡体材料26を抑制するものとして図１３に示されているさらに別のタイプの機械的抑制装置であるスプリング140を示している。スプリング140はスプリング140の種々のコイルを共に保持でき、スプリング140をビークルの本体22へ結ぶことができる１対のストラップまたは紐142によりその圧縮状態に保持されているコイルスプリングである。ストラップ142は図１４に示されているように、発泡体材料の拡張を可能にするためストラップ又は紐142を切断するために電気的に加熱されることができる可溶材料から作られることができる。形態記憶合金部材120（図９）のように、スプリング140はアーム20を拡張するため発泡体材料26上に力を与えることを促すことができる。スプリング140は発泡体材料26の一部のみ埋設されることができることが認識されよう。
【００３２】
図１５と１６は別のタイプの機械的抑制装置であり、アーム20が通るビークル本体22における開口182を覆う覆い180を示している。覆いまたはトラップドア180は図１５に示されているように発泡体材料の加熱中に可溶または機械的に切断可能なワイヤ184により閉じられて保持されることができる。スプリング186はワイヤ184が溶解されるか切断されるときに覆い180を迅速に開かせ、アームが図１６に示されているように拡張することを可能にする。
【００３３】
多くの他のタイプの機械的抑制システムと機械的抑制システムの構造が可能であることが認識されよう。
【００３４】
本発明をある好ましいいくつかの実施形態に関して示し説明したが、この明細書及び添付図面を読み、理解すれば、等価の変更及び変形が当業者により行われることが明白である。特に前述の素子（コンポーネント、アセンブリ、装置、組成等）により行われる種々の機能に関して、このような素子の説明に使用される（「手段」の参照を含めた）用語は、ここで示された本発明の例示的な１又は複数の実施形態の機能を行う開示された構造に構造的に等しくなくても、特に示されていなければ、説明された素子の特定化された機能を行う任意の素子に対応することが意図される。さらに、本発明の特別な特徴を幾つかの例示的な実施形態のみについて前述したが、このような特徴は任意の与えられた又は特別な応用で所望され及び有効であるとき、他の実施形態の１以上の他の特性と組み合わせられることができる。
【図１】
2012511682.tif 000003
【図２】
2012511682.tif 000004
【図３】
2012511682.tif 000005
【図４】
2012511682.tif 000006
【図５】
2012511682.tif 000007
【図６】
2012511682.tif 000008
【図７】
2012511682.tif 000009
【図８】
2012511682.tif 000010
【図９】
2012511682.tif 000011
【図１０】
2012511682.tif 000012
【図１１】
2012511682.tif 000013
【図１２】
2012511682.tif 000014
【図１３】
2012511682.tif 000015
【図１４】
2012511682.tif 000016
【図１５】
2012511682.tif 000017
【図１６】
2012511682.tif 000018
【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
本体と、
前記本体から外方に放射状に拡張可能な発泡体アームとを具備している動的な迎撃ビークル。
【請求項２】
前記発泡体アームは形状記憶発泡体を含んでいる請求項１記載の迎撃ビークル。
【請求項３】
さらに、前記発泡体アームの拡張前に前記発泡体アームを加熱するために前記発泡体アームに結合されて動作する電力源を具備している請求項２記載の迎撃ビークル。
【請求項４】
前記加熱期間中に、前記発泡体アームを引込み形態に機械的に抑制するための機械的抑制装置を具備している請求項３記載の迎撃ビークル。
【請求項５】
前記機械的抑制装置は、前記発泡体が加熱されている間に前記発泡体の動きを抑制する固体材料素子を前記発泡体アーム中に含んでいる請求項４記載の迎撃ビークル。
【請求項６】
前記固体材料は、前記発泡体アームの拡張を可能にするために、加熱時に形状を変化する形状記憶合金材料を含んでいる請求項５記載の迎撃ビークル。
【請求項７】
前記固体材料素子は、前記発泡体アームの拡張を可能にするために少なくとも加熱時に軟化する可溶リンクをそれぞれ含んでいる請求項５記載の迎撃ビークル。
【請求項８】
前記機械的抑制装置は、加熱期間中に圧縮された構造に前記アームを維持するスプリングを前記各アームの発泡体材料中に含んでいる請求項４または５記載の迎撃ビークル。
【請求項９】
前記スプリングの少なくとも一部は形状記憶合金の固体材料から作られている請求項８記載の迎撃ビークル。
【請求項１０】
前記機械的抑制装置は、前記機械的抑制装置を加熱するために電力を与えることにより選択的に付勢される請求項４乃至９のいずれか１項記載の迎撃ビークル。
【請求項１１】
前記機械的抑制装置は、前記アームを解放するために電気的に付勢される解放機構を含んでいる請求項４乃至１０のいずれか１項記載の迎撃ビークル。
【請求項１２】
前記発泡体アームは、前記アームにより迎撃される発射体に衝撃を与える付加的なモーメンタムを与えるために埋設された固体材料のピースを有している請求項１乃至１１のいずれか１項記載の迎撃ビークル。
【請求項１３】
前記固体材料のピースは金属のピースである請求項１２記載の迎撃ビークル。
【請求項１４】
前記固体材料のピースは２乃至１０ｍｍの直径を有する実質的に球形のピースである請求項１２または１３記載の迎撃ビークル。
【請求項１５】
前記固体材料のピースは少なくとも鋼鉄と同じ密度を有している請求項１２乃至１４のいずれか１項記載の迎撃ビークル。
【請求項１６】
前記アームの発泡体材料は、前記アームが引込まれた形態から拡張形態へ変化するときに長さにおいて拡張する請求項１乃至１５のいずれか１項記載の迎撃ビークル。
【請求項１７】
前記発泡体材料は、前記アームが引込まれた形態から拡張形態へ変化するときに少なくとも３００％長さが拡張する請求項１６記載の迎撃ビークル。
【請求項１８】
動的な対発射体迎撃ビークルを発射体の方向に誘導し、
前記誘導後、前記ビークルの発泡体アームを前記ビークルの本体から外方に放射状に展開し、
前記展開後、少なくとも１つの本体又は１以上の前記発泡体アームによって前記発射体に衝突させるステップを含んでいる発射体の迎撃方法。
【請求項１９】
前記誘導は少なくとも１６，０００ｋｍ／時（時速１０，０００マイル）の速度で迎撃ビークルを誘導することを含んでいる請求項１８記載の方法。
【請求項２０】
前記アームは前記アームの発泡体材料中に埋設されている固体材料のピースを有する請求項１８または１９記載の方法。
【請求項２１】
前記発泡体アームは形状記憶発泡体を含み、
前記展開ステップは、
前記形状記憶発泡体を加熱し、
前記形状記憶発泡体の加熱後、前記発泡体アーム上で機械的抑制装置を解放するステップを含んでいる請求項１８乃至２０のいずれか１項記載の方法。
【請求項２２】
前記加熱は電気的加熱である請求項２１記載の方法。
【請求項２３】
前記電気的加熱は電流を発泡体を通って流すことにより行われる請求項２２記載の方法。
【請求項２４】
前記電気的加熱は電流を前記発泡体内に位置される導電性素子を通って流すことにより行われる請求項２２記載の方法。
【請求項２５】
前記ビークルは前記アームの形状を歪ませる風抵抗のない宇宙ビークルである請求項１８乃至２４のいずれか１項記載の方法。
【国際調査報告】
2012511682.tif 000019
2012511682.tif 000020
2012511682.tif 000021